(57)【要約】【課題】パチンコ球の景品交換から生じる詐欺的行動を封じ込むことが可能であり、パチンコホール内において新たな優れた演出が可能となるパチンコ球計数機及びパチンコ台を提供すること。【解決手段】刻印の深さを０．１８ｍｍ〜０．２２ｍｍに設定すると共に、この刻印内に塗布される塗料が２液混合タイプの樹脂に、蛍光顔料を混合した塗料であるパチンコ球を対象とするものであり、パチンコ球計数機のパチンコ球投入部の上方又は側部にブラックライトが設けられており、前記ブラックライトから紫外線を前記パチンコ球に照射させることにより光らせる。【選択図】図２
2010269024.tif 000002
【特許請求の範囲】
【請求項１】
刻印内に塗布される塗料が、２液混合タイプの樹脂に蛍光顔料を混合した塗料であるパチンコ球を対象とするものであり、パチンコ球計数機のパチンコ球投入部の上方又は側部にブラックライトが設けられており、前記ブラックライトから紫外線を前記パチンコ球に照射させることにより光らせ、計数時点で自店のパチンコ球か否かを確実に識別できるようにしてあることを特徴とするパチンコ球計数機。
【請求項２】
刻印内に塗布される塗料が、２液混合タイプの樹脂に蛍光顔料を混合した塗料であるパチンコ球を対象とするものであり、パチンコ台の上受け皿又は／及び下受け皿に向かって、ブラックライトから紫外線を照射させることにより前記パチンコ球を光らせ、客が使用しているパチンコ球が自店のパチンコ球か否かを識別できるようにしてあることを特徴とするパチンコ台。
【請求項３】
刻印内に塗布される塗料が、２液混合タイプの樹脂に蛍光顔料を混合した塗料であるパチンコ球を対象とするものであり、パチンコ台の上部に弾かれた後のパチンコ球の落下の道筋に、ブラックライトから紫外線を照射させることにより前記パチンコ球を光らせ、これにより視覚的な演出を高めるようにしてあることを特徴とするパチンコ台。
【請求項４】
使用されるパチンコ球の刻印の深さを、０．１８ｍｍ〜０．２２ｍｍに設定してなることを特徴とする請求項１記載のパチンコ球計数機。
【請求項５】
使用されるパチンコ球の刻印の深さを、０．１８ｍｍ〜０．２２ｍｍに設定してなることを特徴とする請求項２又は３記載のパチンコ台。
【発明の詳細な説明】
【技術分野】
【０００１】
この発明は、ホールで購入してパチンコ台に使用されるパチンコ球（貸し玉）に関するものであり、前記パチンコ球を使用して詐欺的行動を封じ込んだり、演出効果等を増大させる周辺機器に関するものである。
【背景技術】
【０００２】
近年、所謂パチンコは非常に人気のある遊戯の一つとなってきており、老若男女にかかわらず多くの人が遊戯を楽しんでいる。
【０００３】
パチンコを楽しむ場合、先ず、ホールの特定位置に設置されている貸し玉機に現金を投入してパチンコ球（貸し玉）を借り入れ、利用されていないパチンコ台を見つけて前記パチンコ球を使用して遊戯する。
【０００４】
しかしながら、近年、ホールにおいて以下の（１）〜（３）に示すような詐欺的事件が横行するようになってきている。
（１）他店のパチンコ球を使用して遊戯を楽しむ。
（２）パチンコ球ではない偽の球体を衣服に隠してホールに持ち込み、前記偽の球体をパチンコ球のように見せかけて景品交換する。
（３）最近、一つのパチンコホールにおいて、一玉４円の貸し玉機と一玉１円の貸し出玉機を設置しているところがあり、このようなホールでは一玉４円の遊戯場と一玉１円の遊技場とを区画するようにしているが、一玉１円で貸し出されたパチンコ球を一玉４円で景品交換する者もでてきている。
【０００５】
上記した（１）〜（３）のような事態が起こった場合、ホール経営者は大打撃をうけることは間違いないが、大きな経済的負担をかけることなくそれを回避する方法するは今のところ見つかっていない。
【０００６】
他方、これまでのパチンコ球は、景品交換するだけの媒体に留まっており、その他に何か影響を与えるものではなかった。
【発明の開示】
【発明が解決しようとする課題】
【０００７】
そこで、この発明は、大きな経済的負担をかけることなく、パチンコ球の景品交換から生じる詐欺的行動を封じ込むことが可能なパチンコ球を提供することを課題とする。
【０００８】
また、この発明は、パチンコホール内（パチンコ台やパチンコ球の計数機）において新た優れた演出が可能となる。
【課題を解決するための手段】
【０００９】
（請求項１記載の発明）
この発明のパチンコ球計数機は、刻印内に塗布される塗料が、２液混合タイプの樹脂に蛍光顔料を混合した塗料であるパチンコ球を対象とするものであり、パチンコ球計数機のパチンコ球投入部の上方又は側部にブラックライトが設けられており、前記ブラックライトから紫外線を前記パチンコ球に照射させることにより光らせ、計数時点で自店のパチンコ球か否かを確実に識別できるようにしてある。
【００１０】
（請求項２記載の発明）
この発明のパチンコ台は、刻印内に塗布される塗料が、２液混合タイプの樹脂に蛍光顔料を混合した塗料であるパチンコ球を対象とするものであり、パチンコ台の上受け皿又は／及び下受け皿に向かって、ブラックライトから紫外線を照射させることにより前記パチンコ球を光らせ、客が使用しているパチンコ球が自店のパチンコ球か否かを識別できるようにしてある。
【００１１】
（請求項３記載の発明）
この発明のパチンコ台は、刻印内に塗布される塗料が、２液混合タイプの樹脂に蛍光顔料を混合した塗料であるパチンコ球を対象とするものであり、パチンコ台の上部に弾かれた後のパチンコ球の落下の道筋に、ブラックライトから紫外線を照射させることにより前記パチンコ球を光らせ、これにより視覚的な演出を高めるようにしてある。
【００１２】
（請求項４記載の発明）
この発明のパチンコ球計数機は、請求項１記載の発明に関し、使用されるパチンコ球の刻印の深さを、０．１８ｍｍ〜０．２２ｍｍに設定してなる。
【００１３】
（請求項５記載の発明）
この発明のパチンコ台は、請求項２又は３記載の発明に関し、使用されるパチンコ球の刻印の深さを、０．１８ｍｍ〜０．２２ｍｍに設定してなる。
【発明の効果】
【００１４】
この発明のパチンコ球を使用すると、大きな経済的負担をかけることなく、パチンコ球の景品交換から生じる詐欺的行動を封じ込むことが可能になる。
【００１５】
また、この発明によると、パチンコホール内（パチンコ台やパチンコ球の計数機）において新た優れた演出が可能となる
【図面の簡単な説明】
【００１６】
【図１】この発明の実施例のパチンコ球に刻印の方法を示す断面図。
【図２】パチンコ球計数機のパチンコ球投入部の上方又は側部にブラックライトが設けられ、前記ブラックライトから紫外線を前記パチンコ球に照射させた状態を示す側面図。
【図３】前記ブラックライトの底面側（照射面）を示す図。
【図４】パチンコ台の受け皿等を示す正面図。
【発明を実施するための最良の形態】
【００１７】
以下、この発明のパチンコ球の実施の形態、パチンコ球計数機の形態、パチンコ台の形態を、図面を参照して説明する。
【実施例１】
【００１８】
（パチンコ球Ｐへのｋの方法と一連の作業について）
パチンコ球１へのマーク入れは、２個の１セットから成る印材判を刻印機にセットして球体を挟み、中空を回転させながら印字する、所謂ローリング方が使われている。この方法について以下に説明していく。
【００１９】
（１）先ず、生球と呼ばれる熱処理前の鋼製の鉄球をしようしてマーキングする。
【００２０】
（２）生球は製品直径１１ｍｍの玉に対して、＋３〜４ｍｍ／１００の大きさ製作されたものを使用する。これは後処理である精研磨並びにメッキをして良好な光沢を得るための寸法予備計としての意味合いがある。
【００２１】
（３）この球にパチンコ店の指定のマークやロゴの刻印ｋを施していく。刻印ｋは基本的には球の赤道面を中心として挟み込む形で圧力をかけてマークを入れていく。このとき、刻印ｋの刃先はＶの字形に製作されており、球の表面に切り込みを入れるような形になる（図1参照）。
【００２２】
（４）刻印された玉はこの後熱処理が施されて硬度を上げることになるが、浸炭熱処理という方法の性格上「焼き膨れ」という現象が起こり1〜２ｍｍ／１００ほど球の直径が大きくなる。
【００２３】
（５）これをラッピング研磨という砥石を使用した研磨で５ｍｍ／１００ほどにまで大きくなった玉を研磨して、ロッド全体の誤差や真球度を揃えていき、さらに表面研磨に正寸である１１ｍｍに調整していく。
【００２４】
（６）このとき、予めマーキングされた刻印ｋはＶ字形のその溝が入っているために球の直径が研磨されて小さくなることによって、Ｖ字の上部分の溝幅間隔も小さくなる。これにより最初にマーキングされたときよりもｋの見え方は薄くなる。したがって、この実施例においては、図１に示すＡの間隔（Ｂの間隔は取りしろｋの外周における間隔）を広く見せるために生球の取りしろｋの厚みを小さくして刻印ｋの溝深さを深くしており、これにより、製作された製品は従来の刻印球よりも刻印面積が拡大されている。
ここで、この実施例では、前記刻印球のｋの深さは０．１８ｍｍ〜０．２２ｍｍに設定され、この刻印内に塗布される塗料は２液混合タイプの樹脂に蛍光顔料を混合したものを塗布している。
【００２５】
（７）上記パチンコ球と通常のパチンコ球との決定的な相違点（この実施例のパチンコ球の技術から見た考察）
このパチンコ球では、上述した如く刻印の深さを０．１８ｍｍ〜０．２２ｍｍに設定している。これはパチンコ球への刻印は打刻後に研磨後加工があり、あまりにも深い刻印処理をすると、真球度を保てなくなるために上記寸法としている。浅すぎた場合には製品の刻印部分の視認性が悪くなる。また、蛍光塗料を充填した時にも耐久性にも影響される。
【００２６】
他方、塗料については、２液混合タイプの樹脂に、蛍光顔料、蓄光顔料、又は蛍光ではない通常の顔料を混合したものとしている。
【００２７】
従来から使用してきた１液性のラッカー系の塗料では、早いものでは１年程度で剥離減少が見られ蛍光塗料が剥がれれば根本的な問題になる。
【００２８】
そこで、試作を重ねた結果２液エポキシ系の塗料を採用した。これにより、耐久性、硬度に優れ、刻印の中に充填すれば、従来のラッカー系の塗料と比較して３〜５倍の耐久性を発揮することを確認した（当社社内耐久テストの結果）
。
【００２９】
（このパチンコ球を使用したときの優れた効果について）
（１）パチンコ台の皿に対して所謂ブラックライトからの紫外線を照射させておいても、その店の正当なもの以外のパチンコ球Ｐが皿に投入されても全く光ることがない。これに対して正当なパチンコ球Ｐが皿に投入された場合には当該パチンコ球Ｐは光ることになる。
【００３０】
したがって、店員が巡回している店内においては、正当なパチンコ球Ｐを使用しているか否かが明瞭に判ることになる。
【００３１】
また、この実施例のパチンコ球Ｐを上述の如き製造するのに初期に多くの費用がかかることはなく、またパチンコ球Ｐの刻印ｋ内に耐久性及び耐摩耗性を有する塗料が塗布されてなるものであるから、ランニングコストも少ない。
【００３２】
（２）パチンコ球の計数器に対してブラックライトからの紫外線を照射させておいても、投入されたパチンコ球Ｐが全く光ることがない。これに対して正当なパチンコ球Ｐが計数器に投入された場合には当該パチンコ球Ｐは光ることになる。
【００３３】
したがって、計数器担当の店員又はその付近の店員は偽りの偽の球体であることが明瞭に判ることになる。
【００３４】
（３）ホールにおいて一玉４円の遊戯場と一玉１円の遊技場とに区画されていてもその区画を越えて景品交換しようとする者も存在する。
【００３５】
しかしながら、たとえ区画を越えて一玉１円の遊戯場から一玉４円のパチンコ球Ｐのエリアに入って景品交換しようとしても、一玉４円のパチンコ球Ｐと一玉１円のパチンコ球Ｐうち一方のみに、所謂ブラックライトからの紫外線を照射させると光るようにしておくことにより、不正な景品交換は阻止できることになる。
【００３６】
ここで、上記した（１）〜（３）の不正行為を阻止するための装置であり、図２及び図３に示すように、計数器の上方に取り付けられた取付部１と、前記取付部１に設けられたにヒンジ部２と、前記ヒンジ部２に揺動可能に取り付けられたＵＶ照射器３（縦５個×横１０個のＬＥＤが取り付けられて下面側に紫外線照射する）とから構成されている。
【００３７】
上記ＬＥＤとしては高輝度タイプのＵＶＬＥＤ（日亜化学工業・及びナイトライドセミコンダクター社製を汎用の照射器としている（一例）。なお、間欠点滅照射機能（フラッシュ機能）を付加してより視認性の向上に努めてある。
【００３８】
（４）店内にブラックライトを配置させることにより、出玉の演出にも効果がある。例えば、パチンコ球の通常の落下道筋ＬＤに高輝度タイプのＵＶＬＥＤを照射しておくと、パチンコ球が発光しながら落下していくのでこれまでにない新しい演出が可能になる。
【００３９】
また、出玉をストックしておく容器（所謂ドル箱）にしておき、上記のごとき照射装置を設置しておけば、演出効果がさらに向上する。
【００４０】
（５）計数器にブラックライトを設置することにより他店のパチンコ球Ｐの混入を防ぐ効果がある。
【００４１】
受皿（上受け皿６０及び下受け皿６１）に紫外線照射装置を設置すれば、他店からの玉の持ち込みが、計数前の段階で即座に発見できる。
【００４２】
（６）画像処理分野への応用
この発明のパチンコ球を使用すれば、従来であれば識別困難であった他店のパチンコ球との区別・選別も容易になることは上記に述べた通りである。ここで、従来の識別方法は画像処理（ＣＣＤカメラなどを設置）であれば、パチンコ球の赤道面に刻印された模様・図式・記号・キャラクターなどの形状を読み取りその情報を処理していたが、球状物体の全体把握は困難であり、機構が複雑になっていた。また、画像処理時の情報処理も複雑になるが、蛍光励起による処理方法をとれば、ＣＣＤカメラが不要となり、識別センサーでその判別が容易になる。
【００４３】
（他の実施形態）
上記実施例１では、刻印ｋの深さを０．１８ｍｍ〜０．２２ｍｍに設定すると共に、この刻印ｋ内に塗布される塗料が２液混合タイプの樹脂に蛍光顔料を塗布するものとしているが、これに限定されることなく、刻印ｋの深さを０．１８ｍｍ〜０．２２ｍｍに設定すると共に、この刻印ｋ内に塗布される塗料が２液混合タイプの樹脂に蛍光ではない通常顔料を混合した塗料であってもよい。
【００４４】
このような場合でも、製作された製品が従来の刻印球よりも刻印面積が拡大されているものとすれば、塗料部分が鮮明であることから、（このパチンコ球を使用したときの優れた効果について）の欄の（１）〜（３）とほぼ同様の機能を発揮することが明らかである。
【００４５】
他方、刻印ｋの深さを０．１８ｍｍ〜０．２２ｍｍに設定すると共に、この刻印ｋ内に塗布される塗料が２液混合タイプの樹脂に蓄光顔料を混合した塗料であるものとすることができる。
【００４６】
このように、刻印ｋ内に塗布される塗料が２液混合タイプの樹脂に蓄光顔料を混合したものであれば、ホールの緊急時や停電時に店内が暗くなったときに玉の蓄光塗料が発光し、客の足元や店内に置かれている玉の位置を薄暗い中でも視認しやすくなる。これにより従業員や客が安全に避難できるようになるという効果を奏する。
【００４７】
他方、上記に述べたブラックライトから紫外線を前記パチンコ球に照射させることにより光らせることについては、紫外線に変えて赤外線をパチンコ球に照射させることにより光らせるものでも同様に使用できる。
【符号の説明】
【００４８】
Ｐ      パチンコ球
ｔ      取りしろ
ｋ      刻印
１      取付部
２      ヒンジ部
３      ＵＶ照射器
３０    ＬＥＤ
４      パチンコ球投入部
５      パチンコ球計数機
ＬＤ    パチンコ球の通常の落下道筋
６１    上受け皿
６２    下受け皿
【図１】
2010269024.tif 000003
【図２】
2010269024.tif 000004
【図３】
2010269024.tif 000005
【図４】
2010269024.tif 000006